(57)【要約】【課題】直感的な操作だけでコンテンツの送信及び受信コンテンツに係る処理を行えるようにする。【解決手段】デジタルビデオカメラの送信アンテナがＤＶＤライタの受信アンテナに近接した場合には、何ら動作指示操作が行われなくても、自動的にデジタルビデオカメラのフラッシュメモリ・カードに記憶されている動画像データをＤＶＤライタに送信して、ＤＶＤライタのＤＶＤメディアに記憶しバックアップする。デジタルビデオカメラの受信アンテナがＤＶＤライタの送信アンテナに近接した場合には、何ら動作指示操作が行われなくても、自動的にＤＶＤライタのＤＶＤメディアに記憶されている動画像データをデジタルビデオカメラに送信して、再生表示する。【選択図】図５
2010157800.tif 000002
【特許請求の範囲】
【請求項１】
近接無線通信機能を有する電子機器において、
コンテンツを記憶する記憶手段と、
近接無線通信に係る送信インタフェースと、
近接無線通信に係る受信インタフェースと、
前記送信インタフェースが近接無線通信機能を有する他の電子機器の受信インタフェースに近接した場合には、前記記憶手段に記憶されているコンテンツを当該他の電子機器に送信し、前記受信インタフェースが前記他の電子機器の送信インタフェースに近接した場合には、当該他の電子機器からコンテンツを受信して所定の処理を行うように制御する制御手段と、
を有することを特徴とする電子機器。
【請求項２】
前記送信インタフェースは、前記電子機器の筺体の下面又は上面に配備され、前記受信インタフェースは、前記電子機器の筺体の上面又は下面に配備されていることを特徴としる請求項１に記載の電子機器。
【請求項３】
前記他の電子機器の送信インタフェースは、当該他の電子機器の筺体の上面又は下面に配備され、前記他の電子機器の受信インタフェースは、当該他の電子機器の筺体の下面又は上面に配備されていることを特徴とする請求項１又は２に記載の電子機器。
【請求項４】
前記制御手段は、前記記憶手段に記憶されているコンテンツを前記他の電子機器に送信する場合は、予め設定された条件に合致するコンテンツを当該記憶手段から読出して当該他の電子機器に送信することを特徴とする請求項１〜３の何れかに記載の電子機器。
【請求項５】
前記制御手段は、前記受信インタフェースが前記他の電子機器の送信インタフェースに近接した場合には、当該他の電子機器からコンテンツを受信して再生出力するように制御することを特徴とする請求項１〜４の何れかに記載の電子機器。
【請求項６】
前記制御手段は、前記受信インタフェースが前記他の電子機器の送信インタフェースに近接した場合には、当該他の電子機器からコンテンツを受信して前記記憶手段に記憶するように制御することを特徴とする請求項１〜４の何れかに記載の電子機器。
【請求項７】
前記記憶手段は、前記コンテンツを圧縮符号化された状態で記憶していることを特徴とする請求項１〜６の何れかに記載の電子機器。
【請求項８】
コンテンツを記憶する記憶手段と、近接無線通信に係る送信インタフェースと、近接無線通信に係る受信インタフェースとを有する電子機器の制御方法であって、
前記近接無線通信に係る送信インタフェースが他の電子機器の近接無線通信に係る受信インタフェースに近接した場合には、前記記憶手段に記憶されているコンテンツを当該他の電子機器に送信し、前記近接無線通信に係る受信インタフェースが前記他の電子機器の近接無線通信に係る送信インタフェースに近接した場合には、当該他の電子機器からコンテンツを受信して所定の処理を行うように制御することを特徴とする電子機器の制御方法。
【請求項９】
請求項８に記載の電子機器の制御方法をコンピュータに実行させる、コンピュータが読み取り可能なプログラム。
【発明の詳細な説明】
【技術分野】
【０００１】
本発明は、近接無線通信技術に関し、特にコンテンツの自動送信に係る技術に関する。
【背景技術】
【０００２】
近年、デジタルビデオカメラにおける映像記録媒体としては、磁気テープの代わりにＳＤメモリカード等のフラッシュメモリ・カードやハードディスクドライブが使用される場合が多くなっている。フラッシュメモリ・カードは、ランダムアクセスが可能で、記録映像の読出し・頭出しが容易であると共に、上書きの心配が無い等の利点を有していることから、他用されている。ハードディスクドライブは、３０ＧＢ〜６０ＧＢの大記憶容量のものが実現されていることから多用されている。
【０００３】
これらのフラッシュメモリ・カードやハードディスクドライブは、主として一時記録のために使用され、最終的には、一時記録に係る映像データは、パソコン、ＤＶＤライタ等の外部機器に転送して保存することでバックアップされる。
【０００４】
このうち、ＤＶＤライタは、カメラ機器とケーブルで直接接続して所定の操作をすることで、カメラ機器に記録されているコンテンツを手軽にＤＶＤメディア（光ディスク）に書込んでバックアップすることができる。また、ＤＶＤメディアに書込まれたコンテンツを読出して、カメラ機器により再生できるＤＶＤライタも実現されている。このＤＶＤライタは、ユーザがパソコン等の知識を持っていなくても容易に扱うことができるため、特に初心者にとって便利なものである。
【０００５】
これらの電子機器では、電子機器同士をケーブルで接続するものが主流であるが、このケーブルの接続操作が、初心者にとっては煩わしいものとなる。
【０００６】
この問題を解決するために、無線通信によってコンテンツを送信することで、前述のバックアップ機能等を実現することも考えられる。この無線通信としては、無線ＬＡＮがベースのもの、Ｂｌｕｅｔｏｏｔｈによるもの（特許文献１）が考えられる。
【０００７】
一方、近年は、自動改札機に代表されるような非接触型の近接無線通信技術が確立されてきている。この近接無線通信技術を前述のビデオカメラとＤＶＤライタとの間での通信に用いれば、例えば、ビデオカメラをＤＶＤライタの上に置くだけでビデオカメラ内のコンテンツをバックアップできる画像システムも考えられる。
【特許文献１】特開２００２−１４２２１２号公報
【発明の開示】
【発明が解決しようとする課題】
【０００８】
しかし、例えばビデオカメラとＤＶＤライタを通信させてユーザが行いたい操作はいろいろなものがある。例えばユーザは、ビデオカメラ内のコンテンツをＤＶＤメディアに保存してバックアップしたい場合もあれば、又はＤＶＤメディア上のコンテンツをビデオカメラで再生表示したい場合もある。
【０００９】
しかし、これらの選択をキー操作などの細かい操作で行う場合、ビデオカメラをＤＶＤライタの上に置くだけという、直感的な操作での通信を確立するメリットが損なわれてしまう。
【００１０】
本発明は、このような技術的な背景の下になされたもので、その目的は、直感的な操作だけでコンテンツの送信及び受信コンテンツに係る処理を行えるようにする。
【課題を解決するための手段】
【００１１】
上記目的を達成するため、本発明は、近接無線通信機能を有する電子機器において、コンテンツを記憶する記憶手段と、近接無線通信に係る送信インタフェースと、近接無線通信に係る受信インタフェースと、前記送信インタフェースが近接無線通信機能を有する他の電子機器の受信インタフェースに近接した場合には、前記記憶手段に記憶されているコンテンツを当該他の電子機器に送信し、前記受信インタフェースが前記他の電子機器の送信インタフェースに近接した場合には、当該他の電子機器からコンテンツを受信して所定の処理を行うように制御する制御手段と、を有することを特徴とする。
【００１２】
また、本発明は、コンテンツを記憶する記憶手段と、近接無線通信に係る送信インタフェースと、近接無線通信に係る受信インタフェースとを有する電子機器の制御方法であって、前記近接無線通信に係る送信インタフェースが他の電子機器の近接無線通信に係る受信インタフェースに近接した場合には、前記記憶手段に記憶されているコンテンツを当該他の電子機器に送信し、前記近接無線通信に係る受信インタフェースが前記他の電子機器の近接無線通信に係る送信インタフェースに近接した場合には、当該他の電子機器からコンテンツを受信して所定の処理を行うように制御することを特徴とする。
【発明の効果】
【００１３】
本発明によれば、直感的な操作だけでコンテンツの送信及び受信コンテンツに係る処理を行うことが可能となる。
【発明を実施するための最良の形態】
【００１４】
以下、本発明を実施するための最良の形態を図面に基づいて説明する。
【００１５】
［第１の実施の形態］
第１の実施の形態では、電子機器同士が通信するシステムの一例として、デジタルビデオカメラとＤＶＤライタからなるシステムについて説明する。デジタルビデオカメラとＤＶＤライタとの間で近接無線通信を行う場合に、デジタルビデオカメラ及びＤＶＤライタに対して何ら動作指示を行わなくても、自動的にコンテンツを送信し、受信側では受信コンテンツに係る処理を行っている。
【００１６】
図１は、デジタルビデオカメラの概略構成を示すブロック図である。本デジタルビデオカメラは、撮像系として、撮影レンズ１０１、絞り１０２、撮像素子１０３、ＣＤＳ／ＡＧＣ１０４、デジタル信号処理部１０５、フレームメモリ１０６、及び画素数変換部１０７を有している。
【００１７】
また、制御系としては、画像データバス１０８、操作キー１１９、ＲＡＭ１２０、メインマイコン１２１、ＥＥＰＲＯＭ１２２、及び制御バス１２３を有している。また、入出力系としては、液晶パネル１０９、液晶ドライバ１１０、ＭＰＥＧコーデック１１１、ＵＳＢ端子１１２、ＵＳＢコントローラ１１３、メモリカードドライバ１１４、及びフラッシュメモリ・カード１１５を有している。なお、メモリカードドライバ１１４は、当該メモリカードドライバ１１４のスロット（図示省略）にフラッシュメモリ・カード１１５が装着されていることを検出する検出スイッチ１１４ａを有している。
【００１８】
入出力系は、さらに、近接無線通信部１１６、送信アンテナ（送信インタフェース）１１７、及び受信アンテナ（受信インタフェース）１１８を有している。また、メインマイコン１２１は、ＲＯＭ１２１ａを内蔵している。
【００１９】
撮影レンズ１０１、絞り１０２を介して入力された被写体の光学像は、撮像素子１０３により光電変換されて画像信号として出力される。この画像信号は、ＣＤＳ／ＡＧＣ１０４により、相関２重サンプリング、信号レベルの適正化、Ａ／Ｄ変換が行われて、デジタルの動画像データとしてデジタル信号処理部１０５に出力される。デジタル信号処理部１０５は、入力された動画像データに対して、ガンマ補正、シェーディング補正等の画像処理を施す。
【００２０】
フレームメモリ１０６は、デジタル信号処理部１０５にて画像処理が施された動画像データをフレーム単位で蓄積する。画素数変換部１０７は、各フレームの動画像データに係る画素の画素数を、設定に係る画素数に変換して、画像データバス１０８に出力する。上記の撮像系の各処理の制御は、メインマイコン１２１により制御バス１２３を介して行われる。
【００２１】
メインマイコン１２１は、画素数変換部１０７からの動画像データを、液晶ドライバ１１０により液晶パネル１０９にエコー表示させる。また、メインマイコン１２１は、画素数変換部１０７からの動画像データをＭＰＥＧコーデック１１１により圧縮させ、ＭＰＥＧ符号化（圧縮符号化）データとしてメモリカードドライバ１１４を介してフラッシュメモリ・カード１１５に格納する。
【００２２】
また、メインマイコン１２１は、操作キー１１９の操作により、再生指示がなされた場合は、その再生指示に係る動画像データ（ＭＰＥＧ符号化データ）を、メモリカードドライバ１１４を介してフラッシュメモリ・カード１１５から読み出す。そして、メインマイコン１２１は、読み出したＭＰＥＧ符号化データをＭＰＥＧコーデック１１１により伸張させて、液晶ドライバ１１０を介して液晶パネル１０９に再生表示する。
【００２３】
なお、メインマイコン１２１は、ＵＳＢ端子１１２、ＵＳＢコントローラ１１３を介して有線でフラッシュメモリ・カード１１５内の動画像データを他の電子機器に送信する場合、伸張処理を施すことなく圧縮符号化データの状態のままで送信する。同様に、メインマイコン１２１は、近接無線通信部１１６、送信アンテナ１１７を介して無線でフラッシュメモリ・カード１１５内の動画像データを他の電子機器に送信する場合も、伸張処理を施すことなく圧縮符号化データの状態のままで送信する。
【００２４】
メインマイコン１２１は、上記のような各種の処理を当該メインマイコン１２１内のＲＯＭ１２１ａに格納されたアプリケーションプログラムに基づいて行う。この際、メインマイコン１２１は、ＲＡＭ１２０をワークエリア等として利用する。なお、ＲＯＭ１２１ａには、後述する図５のフローチャートに係るアプリケーションも格納されている。また、メインマイコン１２１は、近接無線通信の確立状態等の当該デジタルビデオカメラのモード情報等をＥＥＰＲＯＭ１２２に記憶する。
【００２５】
近接無線通信部１１６は、動画像データを無線で送信する場合は送信アンテナ１１７を用い、動画像データを無線で受信する場合は受信アンテナ１１８を用いる。ただし、近接無線通信部１１６は、通信を確立するための信号等の制御信号を送受信する場合は、送信アンテナ１１７を受信用に使用し、受信アンテナ１１８を送信用に使用することができる。
【００２６】
図２（ａ）に示したように、送信アンテナ１１７は、デジタルビデオカメラ本体（筺体）２０１の下面に配備され、受信アンテナ１１８は、デジタルビデオカメラ本体（筺体）３０１の上面に配備されている。
【００２７】
これら送信アンテナ１１７と受信アンテナ１１８は、図２（ｂ）に示したように、ループコイル２０２により構成されている。このループコイル２０２は、エポキシ基板（図示省略）上にパターン形成されている。
【００２８】
図３は、ＤＶＤライタの概略構成を示すブロック図である。本ＤＶＤライタは、メインマイコン３１２の制御によりＤＶＤメディア３０５に対するアクセス制御等を行うものである。このメインマイコン３１２には、画像データバス３０３、制御バス３０９を介して、ＵＳＢコントローラ３０２、ＤＶＤドライブ３０４、近接無線通信部３０６、操作キー３１０、及びＲＡＭ３１１が接続されている。ＵＳＢコントローラ３０２には、ＵＳＢ端子３０１が接続され、近接無線通信部３０６には、送信アンテナ（送信インタフェース）３０７と受信アンテナ（受信インタフェース）３０８が接続されている。
【００２９】
メインマイコン３１２は、ＵＳＢ端子３０１、ＵＳＢコントローラ３０２を介して有線でデジタルビデオカメラ等から送信されてきた動画像データ（ＭＰＥＧ符号化データ）を、ＤＶＤドライブ３０４を介してＤＶＤメディア３０５に書き込む。また、メインマイコン３１２は、ＤＶＤメディア３０５に書き込まれている動画像データ（ＭＰＥＧ符号化データ）をＤＶＤドライブ３０４により読み出して、ＵＳＢコントローラ３０２、ＵＳＢ端子３０１を介して有線でデジタルビデオカメラ等に送信する。
【００３０】
さらに、メインマイコン３１２は、受信アンテナ３０８、近接無線通信部３０６を介して無線でデジタルビデオカメラ等から送信されてきた動画像データ（ＭＰＥＧ符号化データ）を、ＤＶＤドライブ３０４を介してＤＶＤメディア３０５に保存する。また、メインマイコン３１２は、ＤＶＤメディア３０５に保存されている動画像データ（ＭＰＥＧ符号化データ）をＤＶＤドライブ３０４により読み出して、近接無線通信部３０６、送信アンテナ３０７を介して無線でデジタルビデオカメラ等に送信する。
【００３１】
メインマイコン３１２は、上記のようなＤＶＤメディア３０５に対するアクセス制御を、当該メインマイコン３１２内のＲＯＭ３１２ａに格納されたアプリケーションプログラムに基づいて行う。この際、メインマイコン３１２は、ＲＡＭ３１１をワークエリア等として利用する。なお、ＲＯＭ３１２ａには、図５のフローチャートに係るアプリケーションプログラムも格納されている。以下、図４における受信アンテナ３０８がある面を上面、受信アンテナ３０８とは反対の面、つまり送信アンテナ３０７がある面を下面とする。
【００３２】
近接無線通信部３０６は、動画像データを無線で送信する場合は送信アンテナ３０７を用い、動画像データを無線で受信する場合は受信アンテナ３０８を用いる。ただし、近接無線通信部３０６は、通信を確立するための信号等の制御信号を送受信する場合は、送信アンテナ３０７を受信用に使用し、受信アンテナ３０８を送信用に使用することができる。
【００３３】
図４に示したように、受信アンテナ３０８は、ＤＶＤライタ本体（筺体）４０１の上面に配備され、送信アンテナ３０７は、ＤＶＤライタ本体（筺体）４０１の下面に配備されている。これら送信アンテナ３０７と受信アンテナ３０８は、デジタルビデオカメラの送信アンテナ１１７、受信アンテナ１１８と同様に、ループコイル２０２により構成されている（図２（ｂ）参照）。
【００３４】
図２（ａ）と図４との比較から明らかなように、デジタルビデオカメラ本体２０１をＤＶＤライタ本体４０１の上に置く或いはかざした場合に（図６参照）、デジタルビデオカメラの送信アンテナ１１７とＤＶＤライタの受信アンテナ３０８が近接することとなる。
【００３５】
このような近接状態では、デジタルビデオカメラ及びＤＶＤライタに対して何ら動作指示を行わなくても、動画像データがデジタルビデオカメラからＤＶＤライタに自動的に送信され、ＤＶＤライタのＤＶＤメディア３０５に保存されてバックアップされる。
【００３６】
また、ＤＶＤライタ本体４０１をデジタルビデオカメラ本体２０１の上に置く或いはかざした場合に（図７参照）、ＤＶＤライタの送信アンテナ３０７とデジタルビデオカメラの受信アンテナ１１８が近接することとなる。
【００３７】
このような近接状態では、デジタルビデオカメラ及びＤＶＤライタに対して何ら動作指示を行わなくても、ＤＶＤライタのＤＶＤメディア３０５から動画像データが自動的に読出され、デジタルビデオカメラに送信されて再生表示される。
【００３８】
なお、デジタルビデオカメラの近接無線通信部１１６とＤＶＤライタの近接無線通信部３０６は、共に、無線通信規格としては「Ｔｒａｎｎｓｆｅｒ  Ｊｅｔ」を用いている。従って、デジタルビデオカメラとＤＶＤライタは、最高５６０ＭｂｐｓというＵＳＢ２．０に匹敵する高速な転送レートで通信することができる。
【００３９】
この場合の通信距離は、３ｃｍであり、中心周波数は、４．４８ＧＨｚ帯である。「Ｔｒａｎｎｓｆｅｒ  Ｊｅｔ」では、このように通信距離が短いため、複雑な接続／セキュリティの設定やアクセスポイントを必要とせずに通信することができる。換言すれば、デジタルビデオカメラとＤＶＤライタを近接させるだけで、キー操作無しに自動的に通信を開始することができる。また、デジタルビデオカメラとＤＶＤライタを離間させるだけで、キー操作無しに自動的に通信を終了することができる。
【００４０】
なお、「Ｔｒａｎｎｓｆｅｒ  Ｊｅｔ」は、通信距離が短いため、−７０ｄＢ／ＭＨｚ程度の微弱な送信電力で済み、デジタルビデオカメラ、ＤＶＤライタ等のバッテリ駆動型の可搬性の高い機器に適している。また、微弱な送信電力であるため、周波数帯の異なる無線ＬＡＮ、Ｂｌｕｅｔｏｏｔｈ等の他の無線システムに係る電波との干渉が起きることは殆ど無い。
【００４１】
次に、デジタルビデオカメラとＤＶＤライタとの間で行われる通信処理等を、図５のフローチャートに基づいて説明する。
【００４２】
ユーザがデジタルビデオカメラとＤＶＤライタを３ｃｍ以内に近づけると、デジタルビデオカメラ（近接無線通信部１１６）と、ＤＶＤライタ（近接無線通信部３０６）との間で通信が確立される（Ｓ５０１）。この通信情報の確立情報は、デジタルビデオカメラでは、近接無線通信部１１６からメインマイコン１２１に通知され、ＤＶＤライタでは、近接無線通信部３０６からメインマイコン３１２に通知される。
【００４３】
そこで、デジタルビデオカメラのメインマイコン（以下、カメラマイコンという）１２１と、ＤＶＤライタのメインマイコン（以下、ライタマイコンという）３１２は、それぞれ、通信が確立されているアンテナがどのアンテナであるかを検出する（Ｓ５０２）。
【００４４】
その結果、デジタルビデオの送信アンテナ１１７とＤＶＤライタの受信アンテナ３０８との間で通信が確立している場合は（図６参照）、カメラマイコン１２１は、バックアップ送信モードへの移行処理を行う（Ｓ５０３，Ｓ５０４）。この場合、ライタマイコン３１２は、バックアップ保存モードへの移行処理を行う（Ｓ５０３，Ｓ５０４）。
【００４５】
そして、カメラマイコン１２１は、フラッシュメモリ・カード１１５に記憶されている動画像データのうち、予め設定された自動送信条件に合致する動画像データをとＤＶＤライタに送信するバックアップ送信処理を行う（Ｓ５０５）。ライタマイコン３１２は、送信に係る動画像データをＤＶＤメディア３０５に保存するバックアップ保存処理を行う（Ｓ５０５）。
【００４６】
なお、上記の自動送信条件としては、例えば、フラッシュメモリ・カード１１５に古くから記憶されているものから順に、所定ファイル数の動画像データを自動送信すること等が考えられる。このように古い順に自動送信するという条件は、新しい動画像データは、当該デジタルビデオカメラで再生表示される可能性が高いことを考慮したものである。ただし、フラッシュメモリ・カード１１５内の全ての動画像データを一括して自動送信してもよい。
【００４７】
一方、デジタルビデオカメラの受信アンテナ１１８とＤＶＤライタの送信アンテナ３０７との間で通信が確立している場合は（図７参照）、カメラマイコン１２１は、再生モードへの移行処理を行う（Ｓ５０６，Ｓ５０７）。この場合、ライタマイコン３１２は、再生送信モードへの移行処理を行う（Ｓ５０６，Ｓ５０７）。
【００４８】
そして、ライタマイコン３１２は、ＤＶＤメディア３０５に保存されている動画像データのうち、予め設定された自動再生送信条件に合致する動画像データを読出してデジタルビデオカメラに送信する再生送信処理を行う（Ｓ５０８）。カメラマイコン１２１は、再生送信に係る画像データ（ＭＰＥＧ符号化データ）を伸張して液晶パネル１０９に再生表示（再生出力）する再生表示処理を行う（Ｓ５０８）。
【００４９】
なお、上記の自動再生送信条件としては、例えば、撮影年月日が最近の動画像データを１つだけ再生送信することが考えられる。この条件は、最近撮影した動画像データはデジタルビデオカメラで再生表示される可能性が高いからである。また、複数の動画像データを再生表示のためにデジタルビデオカメラに返送したのでは、デジタルビデオカメラのメモリ資源の無駄使いになる可能性が高いからである。また、自動再生送信条件としては、動画像データのテーマを設定することも可能である。このテーマは、例えば、ファイル名のキーワードにより設定することが考えられる。
【００５０】
デジタルビデオカメラの受信アンテナ１１８とＤＶＤライタの受信アンテナ３０８との間で通信が確立している場合（Ｓ５０９）は、カメラマイコン１２１とライタマイコン３１２は、それぞれエラー処理を行う（Ｓ５１０）。また、デジタルビデオカメラの送信アンテナ１１７とＤＶＤライタの送信アンテナ３０７との間で通信が確立している場合（Ｓ５１１）も、カメラマイコン１２１、ライタマイコン３１２は、それぞれエラー処理を行う（Ｓ５１０）。
【００５１】
このエラー処理としては、具体的には、ユーザに対してエラーメッセージを報知することを想定している。しかし、本実施の形態では、ＤＶＤライタは、メッセージを報知する手段を有していないので、カメラマイコン１２１の制御の下に、デジタルビデオカメラの液晶パネル１０９にエラーメッセージを表示することとしている。このように、一方の機器にのみエラーメッセージを表示したとしても、送受信に係る両機器は互いに近接状態にあるので、何ら不都合はない。
【００５２】
ユーザがデジタルビデオカメラとＤＶＤライタを３ｃｍ以上離すと、カメラマイコン１２１とライタマイコン３１２は、それぞれ近接無線通信の切断処理を行って（Ｓ５１２）、終了する。なお、近接無線通信の切断処理は、デジタルビデオカメラとＤＶＤライタが３ｃｍ以上離されていない状態であっても、デジタルビデオカメラ又はＤＶＤライタによる送信処理が終了した時点で行ってもよい。この場合は、送信終了、近接無線通信切断に係る情報をデジタルビデオカメラの液晶パネル１０９に表示するのが望ましい。
【００５３】
このように、第１の実施の形態では、送信側のデジタルビデオカメラ又はＤＶＤライタを、受信側のＤＶＤライタ又はデジタルビデオカメラの上に置く又はかざすという直感的な操作だけで、コンテンツの送信及び受信コンテンツに係る処理を行うことができる。
【００５４】
［第２の実施の形態］
第２の実施の形態では、デジタルスチルカメラとマルチプリンタとの間で近接無線通信を行う場合、デジタルスチルカメラ及びマルチプリンタに対して何ら動作指示を行わなくても、自動的にコンテンツを送信し、受信側では受信コンテンツに係る処理を行っている。
【００５５】
図８は、デジタルスチルカメラの概略構成を示すブロック図である。このデジタルスチルカメラの構成は、図１に示したデジタルビデオカメラとほぼ同様である。従って、ここでは、図１と同一の構成要素には同一の符号を付して、相違点だけを簡単に説明する。
【００５６】
図１のデジタルビデオカメラではＭＰＥＧコーデック１１１が設けられているが、図８のデジタルスチルカメラでは、ＭＰＥＧコーデック１１１の代わりにＪＰＥＧコーデック８１１が設けられている点だけが相違する。
【００５７】
すなわち、通信対象のコンテンツは、第１の実施の形態では動画像データであったが、第２の実施の形態では静止画像データとなっている。なお、図９に示したように、送信アンテナ１１７は、デジタルスチルカメラ本体（筺体）９０１の下面に配備され、受信アンテナ１１８は、デジタルスチルカメラ本体（筺体）９０１の上面に配備されている。
【００５８】
図１０は、マルチプリンタの概略構成を示すブロック図である。本マルチプリンタは、メインマイコン１０１２の制御により原稿画像（静止画像）の読取処理、及びプリント処理を行うものである。このメインマイコン１０１２には、画像データバス１００２、制御バス１００９を介して、種々のデバイスが接続されている。例えば、ＵＳＢコントローラ１００１、ＪＰＥＧコーデック１００３、ドキュメントスキャナ１００４、プリントエンジン１００５、近接無線通信部１００６、操作キー１０１０、及びＲＡＭ１０１１が接続されている。
【００５９】
ＵＳＢコントローラ１００１には、ＵＳＢ端子１００１ａが接続されている。また、近接無線通信部１００６には、送信アンテナ（送信インタフェース）１００７と受信アンテナ（受信インタフェース）１００８が接続されている。メインマイコン１０１２は、デジタルスチルカメラ等から送信されてきた静止画像データ（ＪＰＥＧ符号化データ）を、ＵＳＢ端子１００１ａ、ＵＳＢコントローラ１００１を介して受信すると、その静止画像データをＪＰＥＧコーデック１００３により伸張する。そして、メインマイコン１０１２は、この伸張に係る静止画像データをプリンタエンジン１００５によりプリントアウトする。また、メインマイコン１０１２は、ドキュメントスキャナ１００４により原稿画像を読取り、この読取りに係る原稿画像データをプリンタエンジン１００５によりプリントアウトする。
【００６０】
さらに、メインマイコン１０１２は、読取りに係る原稿画像データをＪＰＥＧコーデック１００３により圧縮して、近接無線通信部１００６、送信アンテナ１００７を介してデジタルスチルカメラに無線送信する。また、メインマイコン１０１２は、デジタルスチルカメラ等から送信されてきた静止画像データ（ＪＰＥＧ符号化データ）を、受信アンテナ１００８、近接無線通信部１００６を介して受信すると、その静止画像データをＪＰＥＧコーデック１００３により伸張する。そして、メインマイコン１０１２は、この伸張に係る静止画像データをプリンタエンジン１００５によりプリントアウトする。
【００６１】
メインマイコン１０１２は、上記のような原稿画像の読取り処理、プリントアウト処理等に係る制御を、当該メインマイコン１０１２内のＲＯＭ１０１２ａに格納されたアプリケーションプログラムに基づいて行う。この際、メインマイコン１０１２は、ＲＡＭ１０１１をワークエリア等として利用する。なお、ＲＯＭ１０１２ａには、図１２のフローチャートに係るアプリケーションプログラムも格納されている。
【００６２】
近接無線通信部１００６は、静止画像データを無線で送信する場合は送信アンテナ１００７を用い、静止画像データを無線で受信する場合は受信アンテナ１００８を用いる。ただし、近接無線通信部１００６は、通信を確立するための信号等の制御信号を送受信する場合は、送信アンテナ１００７を受信用に使用し、受信アンテナ１００８を送信用に使用することができる。
【００６３】
図１１に示したように、受信アンテナ１００８は、マルチプリンタ本体（筺体）１１０１の上面に配備され、送信アンテナ１００７は、マルチプリンタ本体（筺体）１１０１の側面の中段位置に配備されている。なお、この中段位置は、デジタルスチルカメラとマルチプリンタを同一の平面に並べて置いた場合に、デジタルスチルカメラの受信アンテナ１１８とマルチプリンタの送信アンテナ１００７がほぼ同一の高さ位置となる位置となっている（図１４参照）。
【００６４】
これら送信アンテナ１００７と受信アンテナ１００８は、デジタルスチルカメラの送信アンテナ１１７、受信アンテナ１１８と同様に、ループコイル２０２により構成されている（図２（ｂ）参照）。
【００６５】
図９と図１１から明らかなように、デジタルスチルカメラ本体９０１をマルチプリンタ本体１１０１の上に置く或いはかざした場合に（図１３参照）、デジタルスチルカメラの送信アンテナ１１７とマルチプリンタの受信アンテナ１００８が近接することとなる。
【００６６】
このような近接状態では、デジタルスチルカメラ及びマルチプリンタに対して何ら動作指示を行わなくても、デジタルスチルカメラで撮影された静止画像データ１３０１が自動的にマルチプリンタに送信されてプリントアウトされる（図１３参照）。
【００６７】
また、マルチプリンタ本体１１０１の横にデジタルスチルカメラ本体９０１を近接状態で並べて置いた場合に、マルチプリンタの送信アンテナ１００７とデジタルスチルカメラの受信アンテナ１１８が近接することとなる（図１４参照）。
【００６８】
このような近接状態では、デジタルスチルカメラ及びマルチプリンタに対して何ら動作指示を行わなくても、マルチプリンタで読取られた静止画像データ（原稿画像データ）がデジタルスチルカメラに自動的に送信されて保存される（図１４参照）。
【００６９】
次に、デジタルスチルカメラとマルチプリンタとの間で行われる通信処理等を、図１２のフローチャートに基づいて説明する。
【００７０】
ユーザがデジタルスチルカメラとマルチプリンタを３ｃｍ以内に近づけると、デジタルスチルカメラ（近接無線通信部１１６）と、マルチプリンタ（近接無線通信部１００６）との間で通信が確立される（Ｓ１２０１）。この通信情報の確立情報は、デジタルスチルカメラでは、近接無線通信部１１６からメインマイコン１２１に通知され、マルチプリンタでは、近接無線通信部１００６からメインマイコン１０１２に通知される。
【００７１】
そこで、デジタルスチルカメラのメインマイコン（以下、カメラマイコン）１２１と、マルチプリンタのメインマイコン（以下、プリンタマイコン）１０１２は、それぞれ、通信が確立されているアンテナがどのアンテナであるかを検出する（Ｓ１００２）。
【００７２】
その結果、デジタルスチルカメラの送信アンテナ１１７とマルチプリンタの受信アンテナ１００８との間で通信が確立している場合は（図１３参照）、カメラマイコン１２１は、プリント送信モードへの移行処理を行う（Ｓ１２０３，Ｓ１２０４）。この場合、プリンタマイコン１０１２は、プリントモードへの移行処理を行う（Ｓ１２０３，Ｓ１２０４）。
【００７３】
そして、カメラマイコン１２１は、フラッシュメモリ・カード１１５に記憶されている静止画像データのうち、予め設定された自動送信条件に合致する静止画像データをマルチプリンタに送信するプリント送信処理を行う（Ｓ１２０５）。プリンタマイコン１０１２は、送信に係る生死画像データをプリントエンジン１００５によりプリントアウトする処理を行う（Ｓ１２０５）。上記の自動送信条件は、第１の実施の形態における自動送信条件と同一でもよい。
【００７４】
一方、デジタルスチルカメラの受信アンテナ１１８とマルチプリンタの送信アンテナ１００７との間で通信が確立している場合は（図１４参照）、カメラマイコン１２１は、保存モードへの移行処理を行う（Ｓ１２０６，Ｓ１２０７）。この場合、プリンタマイコン１０１２は、スキャナモードへの移行処理を行う（Ｓ１２０６，Ｓ１２０７）。
【００７５】
そして、プリンタマイコン１０１２は、原稿台（図示省略）に載置されている１枚の原稿、又は原稿自動給送装置（図示省略）から原稿台に給送されてくる複数枚の原稿の画像をドキュメントスキャナ１００４により読取らせる（Ｓ１２０８）。そして、プリンタマイコン３１２は、その原稿画像データをデジタルスチルカメラに送信するスキャン送信処理を行う（Ｓ１２０８）。
【００７６】
カメラマイコン１２１は、スキャン送信に係る画像データをフラッシュメモリ・カード１１５に保存する保存処理を行う（Ｓ１２０８）。
【００７７】
また、デジタルスチルカメラの受信アンテナ１１８とマルチプリンタの受信アンテナ１００８との間で通信が確立している場合（Ｓ１２０９）は、カメラマイコン１２１とプリンタマイコン１０１２は、それぞれエラー処理を行う（Ｓ５１０）。また、デジタルビデオカメラの送信アンテナ１１７とマルチプリンタの送信アンテナ１００７との間で通信が確立している場合（Ｓ１２１１）も、カメラマイコン１２１、プリンタマイコン１０１２は、それぞれエラー処理を行う（Ｓ１２１０）。
【００７８】
このエラー処理としては、具体的には、ユーザに対してエラーメッセージを報知することを想定している。しかし、本実施の形態では、マルチプリンタは、メッセージを報知する手段を有していないので、カメラマイコン１２１の制御の下に、デジタルスチルカメラの液晶パネル１０９にエラーメッセージを表示することとしている。このように、一方の機器にのみエラーメッセージを表示したとしても、送受信に係る両機器は互いに近接状態にあるので、何ら不都合はない。
【００７９】
ユーザがデジタルスチルカメラとマルチプリンタを３ｃｍ以上離すと、カメラマイコン１２１とプリンタマイコン１０１２は、それぞれ近接無線通信の切断処理を行って（Ｓ１２１２）、終了する。なお、近接無線通信の切断処理は、デジタルスチルカメラとマルチプリンタが３ｃｍ以上離されていない状態であっても、デジタルスチルカメラ又はマルチプリンタによる送信処理が終了した時点で行ってもよい。この場合は、送信終了、近接無線通信切断に係る情報をデジタルスチルカメラの液晶パネル１０９に表示するのが望ましい。
【００８０】
以上説明したように、第２の実施の形態では、送信側のデジタルスチルカメラ又はマルチプリンタを、受信側のマルチプリンタ又はデジタルスチルカメラの上に置く又はかざす等の直感的な操作だけで、コンテンツの送信及び受信コンテンツに係る処理を行える。
【００８１】
なお、本発明は、上記の第１，第２の実施の形態に限定されることなく、例えば、送信アンテナ、受信アンテナは、電子機器本体（筺体）の上面、下面に配備することなく、側面だけに配備することも可能である。要するに、送受信側の２つの電子機器の使用態様、筺体のサイズ・形状等に応じて、これら２つの電子機器を直感的な操作で安定的に近接させ易い形態で、送信アンテナ（送信インタフェース）と受信アンテナ（受信インタフェース）の配備位置を決定すればよい。
【００８２】
また、近接無線通信の通信規格としては、「Ｔｒａｎｓｆｅｒ  Ｊｅｔ」に限らず、例えば、「ＥＦＩＲ（Ｅｘｔｅｒｍｅｌｙ  Ｆａｓｔ  Ｉｎｆｒａｒｅｄ  ｃｏｍｍｕｎｉｃａｔｉｏｎ）：通信距離は５ｃｍ程度」を用いることも可能である。
【００８３】
さらに、近接無線通信の通信規格としては、「Ｗｉｒｅｌｅｓｓ  ＵＳＢ」や「Ｗｉｒｅｌｅｓｓ  ＨＤ」を用いることも可能である。これらの場合は、通信距離は、それぞれ３ｍ程度、１０ｍ程度と多少長くなるので、本発明を適当するに当たっては、送受信アンテナの感度を低くしたり、送信電力を小さくしたりすることが望ましい。
【００８４】
また、送受信アンテナも、近接無線通信に適したものであれば、如何なる方式のアンテナであってもよい。
【００８５】
また、近接無線通信機能を有することを条件として、デジタルカメラ、ＤＶＤライタ、マルチプリンタ以外の電子機器に本発明を適用することも可能である。これに伴って、通信対象のコンテンツは、画像データ以外の音声・音楽データ、文字データ等のコンテンツであってもよい。
【００８６】
さらに、本発明の目的は、前述した各実施の形態の機能を実現するようにプログラミングされたプログラムコードを記憶した記憶媒体を、システム或いは装置に供給することによっても達成される。この場合、そのシステム或いは装置のコンピュータ（またはＣＰＵやＭＰＵ等）が記憶媒体に格納されたプログラムコードを読み出して実行することになる。
【００８７】
上記の例では、記憶媒体から読み出されたプログラムコード自体が前述した各実施の形態の機能を実現することになり、そのプログラムコード及び該プログラムコードを記憶した記憶媒体は本発明を構成することになる。
【００８８】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷを用いることができる。さらに、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。又は、プログラムコードをネットワークを介してダウンロードしてもよい。
【００８９】
また、コンピュータが読み出したプログラムコードを実行することにより、前述した各実施の形態の機能が実現される場合に限定されることはない。そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００９０】
さらに、記憶媒体から読み出されたプログラムコードが、コンピュータに挿入された機能拡張ボードやコンピュータに接続された機能拡張ユニットに備わるメモリに書き込まれてもよい。この場合、プログラムコードの指示に基づき、その拡張機能を拡張ボードや拡張ユニットに備わるＣＰＵ等が実際の処理の一部または全部を行い、その処理によって前述した各実施の形態の機能が実現される。
【図面の簡単な説明】
【００９１】
【図１】デジタルビデオカメラの概略構成を示すブロック図である（第１の実施の形態）。
【図２】デジタルビデオカメラの送信アンテナ、受信アンテナの配備位置を示す図である。
【図３】ＤＶＤライタの概略構成を示すブロック図である（第１の実施の形態）。
【図４】ＤＶＤライタの送信アンテナ、受信アンテナの配備位置を示す図である。
【図５】デジタルビデオカメラとＤＶＤライタとの間で行われる通信処理等を示すフローチャートである。
【図６】デジタルビデオカメラからＤＶＤライタに画像データを送信する場合の近接態様（直感的操作）を示す図である。
【図７】ＤＶＤライタからデジタルビデオカメラに画像データを送信する場合の近接態様（直感的操作）を示す図である。
【図８】デジタルスチルカメラの概略構成を示すブロック図である（第２の実施の形態）。
【図９】デジタルスチルカメラの送信アンテナ、受信アンテナの配備位置を示す図である。
【図１０】マルチプリンタの概略構成を示すブロック図である（第２の実施の形態）。
【図１１】マルチプリンタの送信アンテナ、受信アンテナの配備位置を示す図である。
【図１２】デジタルスチルカメラとマルチプリンタとの間で行われる通信処理等を示すフローチャートである。
【図１３】デジタルスチルカメラからマルチプリンタに画像データを送信する場合の近接態様（直感的操作）を示す図である。
【図１４】マルチプリンタからデジタルスチルカメラに画像データを送信する場合の近接態様（直感的操作）を示す図である。
【符号の説明】
【００９２】
１１１…ＭＰＥＧコーデック
８１１，１００３…１１１…ＪＰＥＧコーデック
１１７，３０７，１００７…送信アンテナ
１１８，３０８，１００８…受信アンテナ
１１５…  フラッシュメモリ・カード
１１６，３０６，１００６…近接無線通信部
１２１，３１２，１０２１…メインマイコン
１２１ａ，３１２ａ，１０１２ａ…ＲＯＭ
２０１…デジタルビデオカメラ本体
３０５…ＤＶＤメディア
４０１…ＤＶＤライタ本体
９０１…デジタルスチルカメラ本体
１１０１…マルチプリンタ本体
【図１】
2010157800.tif 000003
【図２】
2010157800.tif 000004
【図３】
2010157800.tif 000005
【図４】
2010157800.tif 000006
【図５】
2010157800.tif 000007
【図６】
2010157800.tif 000008
【図７】
2010157800.tif 000009
【図８】
2010157800.tif 000010
【図９】
2010157800.tif 000011
【図１０】
2010157800.tif 000012
【図１１】
2010157800.tif 000013
【図１２】
2010157800.tif 000014
【図１３】
2010157800.tif 000015
【図１４】
2010157800.tif 000016